(57)【要約】【課題】キャリッジガイド軸の軸方向の移動を抑制して、記録品質の低下を抑制することができ、また、キャリッジの挙動を安定化させることができるキャリッジガイド軸の支持装置及び記録装置を提供する。【解決手段】一対のサイドフレーム２７間を前フレーム１９で連結し、キャリッジガイド軸２９をこのキャリッジガイド軸２９の端部２９ａとサイドフレーム２７Ｒの内面とに隙間Ｙを設けてサイドフレーム間に架け渡し、キャリッジガイド軸２９上のキャリッジ３０を走査させて、このキャリッジ３０に搭載した記録ヘッド２０でプラテン２３上のシートに画像を記録する記録装置において、キャリッジガイド軸２９がキャリッジ３０の走査により軸方向に移動するのを抑制する押圧力でキャリッジガイド軸２９を軸方向に押圧する圧縮ばね３５を備えた。【選択図】      図３
2004322453.tif 000002
【特許請求の範囲】
【請求項１】
一対のサイドフレーム間を連結部材で連結し、キャリッジガイド軸をこのキャリッジガイド軸の端部と前記サイドフレームの内面とに隙間を設けて前記サイドフレーム間に架け渡したキャリッジガイド軸の支持装置において、
前記キャリッジガイド軸が前記キャリッジの走査により軸方向に移動するのを抑制すべく、前記キャリッジガイド軸を軸方向に押圧する押圧手段を備えたことを特徴とするキャリッジガイド軸の支持装置。
【請求項２】
請求項１に記載のキャリッジガイド軸の支持装置において、前記押圧手段は、前記一対のサイドフレームの内、一方のサイドフレームの内面側に配置され、前記キャリッジガイド軸の端部に作用する圧縮ばねであることを特徴とするキャリッジガイド軸の支持装置。
【請求項３】
請求項２に記載のキャリッジガイド軸の支持装置において、
前記キャリッジガイド軸の端部には、前記一方のサイドフレームに挿通され、前記キャリッジガイド軸よりも細い支持軸が設けられ、
前記圧縮ばねは、一端が前記内面側に当接され、前記支持軸に挿通されることを特徴とするキャリッジガイド軸の支持装置。
【請求項４】
請求項１に記載のキャリッジガイド軸の支持装置において、
前記押圧手段は、押圧部材と、前記押圧部材に作用し、当該押圧部材を介して前記キャリッジガイド軸の端部を軸方向に押圧する引張ばねとを備えたことを特徴とするキャリッジガイド軸の支持装置。
【請求項５】
一対のサイドフレーム間を連結部材で連結し、キャリッジガイド軸をこのキャリッジガイド軸の端部と前記サイドフレームの内面とに隙間を設けて前記サイドフレーム間に架け渡し、前記キャリッジガイド軸上のキャリッジを走査させて、このキャリッジに搭載した記録ヘッドでプラテン上のシートに画像を記録する記録装置において、
前記キャリッジガイド軸が前記キャリッジの走査により軸方向に移動するのを抑制すべく、前記キャリッジガイド軸を軸方向に押圧する押圧手段を備えたことを特徴とする記録装置。
【請求項６】
請求項５に記載の記録装置において、
前記押圧手段は、前記一対のサイドフレームの内、一方のサイドフレームの内面側に配置され、前記キャリッジガイド軸の端部に作用する圧縮ばねであることを特徴とする記録装置。
【請求項７】
請求項６に記載の記録装置において、
前記キャリッジガイド軸の端部には、前記一方のサイドフレームに挿通され、前記キャリッジガイド軸よりも細い支持軸が設けられ、
前記圧縮ばねは、一端が前記内面側に当接され、前記支持軸に挿通されることを特徴とする記録装置。
【請求項８】
請求項５に記載の記録装置において、
前記押圧手段は、押圧部材と、前記押圧部材に作用し、当該押圧部材を介して前記キャリッジガイド軸の端部を軸方向に押圧する引張ばねとを備えたことを特徴とする記録装置。
【発明の詳細な説明】
【０００１】
【発明の属する技術分野】
本発明は、一対のサイドフレーム間を連結部材で連結したキャリッジガイド軸の支持装置及び記録装置に関する。
【０００２】
【従来の技術】
従来、一対のサイドフレーム間を、連結部材としての前フレームで連結し、前フレームで規制されたキャリッジガイド軸をサイドフレーム間に架け渡し、キャリッジガイド軸上のキャリッジを走査させて、このキャリッジに搭載した記録ヘッドでプラテン上のシートに画像を記録するドットインパクトプリンタが知られている。
【０００３】
このようなプリンタにおいては、前フレームの長さでサイドフレームの間隔が決まるので、キャリッジガイド軸がサイドフレーム間に収まるように、キャリッジガイド軸の端部とサイドフレームの内面とに隙間を設けているのが一般的である（例えば、特許文献１参照。）。
【０００４】
【特許文献１】
特開平９−２３４９２７号公報
【０００５】
【発明が解決しようとする課題】
上記のプリンタにおいて、キャリッジが低速で動いている場合は、キャリッジとキャリッジガイド軸との間の摩擦力が小さく、キャリッジガイド軸の自重によりキャリッジガイド軸が軸方向に動くことはないので、安定した画像の記録が確保される。
【０００６】
しかしながら、キャリッジが高速で動いている場合は、このキャリッジガイド軸とキャリッジとの間の摩擦力が増大し、キャリッジガイド軸がキャリッジとともに軸方向に動き、記録品質が低下するという問題がある。
【０００７】
特に、キャリッジを駆動するモータがステッピングモータである場合、キャリッジガイド軸がキャリッジとともに軸方向に動いてしまうと、ステッピングモータが脱調してしまう恐れがあり、キャリッジの挙動が不安定になってしまうという問題がある。
【０００８】
そこで、本発明の目的は、上述した従来技術が有する課題を解消し、キャリッジガイド軸の軸方向の移動を抑制して、記録品質の低下を抑制することができ、また、キャリッジの挙動を安定化させることができるキャリッジガイド軸の支持装置及び記録装置を提供することにある。
【０００９】
【課題を解決するための手段】
請求項１に記載の発明は、一対のサイドフレーム間を連結部材で連結し、キャリッジガイド軸をこのキャリッジガイド軸の端部と前記サイドフレームの内面とに隙間を設けて前記サイドフレーム間に架け渡したキャリッジガイド軸の支持装置において、前記キャリッジガイド軸が前記キャリッジの走査により軸方向に移動するのを抑制すべく、前記キャリッジガイド軸を軸方向に押圧する押圧手段を備えたことを特徴とするものである。
【００１０】
請求項２に記載の発明は、請求項１に記載の発明において、前記押圧手段は、前記一対のサイドフレームの内、一方のサイドフレームの内面側に配置され、前記キャリッジガイド軸の端部に作用する圧縮ばねであることを特徴とするものである。
【００１１】
請求項３に記載の発明は、請求項２に記載の発明において、前記キャリッジガイド軸の端部には、前記一方のサイドフレームに挿通され、前記キャリッジガイド軸よりも細い支持軸が設けられ、前記圧縮ばねは、一端が前記内面側に当接され、前記支持軸に挿通されることを特徴とするものである。
【００１２】
請求項４に記載の発明は、請求項１に記載の発明において、前記押圧手段は、押圧部材と、前記押圧部材に作用し、当該押圧部材を介して前記キャリッジガイド軸の端部を軸方向に押圧する引張ばねとを備えたことを特徴とするものである。
【００１３】
請求項５に記載の発明は、一対のサイドフレーム間を連結部材で連結し、キャリッジガイド軸をこのキャリッジガイド軸の端部と前記サイドフレームの内面とに隙間を設けて前記サイドフレーム間に架け渡し、前記キャリッジガイド軸上のキャリッジを走査させて、このキャリッジに搭載した記録ヘッドでプラテン上のシートに画像を記録する記録装置において、前記キャリッジガイド軸が前記キャリッジの走査により軸方向に移動するのを抑制すべく、前記キャリッジガイド軸を軸方向に押圧する押圧手段を備えたことを特徴とするものである。
【００１４】
請求項６に記載の発明は、請求項５に記載の発明において、前記押圧手段は、前記一対のサイドフレームの内、一方のサイドフレームの内面側に配置され、前記キャリッジガイド軸の端部に作用する圧縮ばねであることを特徴とするものである。
【００１５】
請求項７に記載の発明は、請求項６に記載の発明において、前記キャリッジガイド軸の端部には、前記一方のサイドフレームに挿通され、前記キャリッジガイド軸よりも細い支持軸が設けられ、前記圧縮ばねは、一端が前記内面側に当接され、前記支持軸に挿通されることを特徴とするものである。
【００１６】
請求項８に記載の発明は、請求項５に記載の発明において、前記押圧手段は、押圧部材と、前記押圧部材に作用し、当該押圧部材を介して前記キャリッジガイド軸の端部を軸方向に押圧する引張ばねとを備えたことを特徴とするものである。
【００１７】
【発明の実施の形態】
以下、この発明の一実施の形態を図面に基づいて説明する。
【００１８】
［１］第１の実施の形態
図１は、本発明の記録装置の第１の実施の形態に係るプリンタ１０の側断面図であり、図２は、このプリンタ１０の外装カバー１１を外した状態を示す斜視図である。
【００１９】
このプリンタ１０は、複数の記録ワイヤを選択的に打ち出す記録ヘッド２０と、この記録ヘッド２０が載置されるキャリッジ３０とを備え、記録ヘッド２０から打ち出された記録ワイヤをシートに打ち付けることによって文字を含む画像を記録するドットインパクトプリンタである。なお、シートとしては、カットシート、連続シート、葉書等が用いられる。
【００２０】
図１に示すように、このプリンタ１０は、大別すると、記録ユニットを構成するプリンタ本体１２と、トラクタユニット１３と、シートガイド１４とを備え、これらが外装カバー１１で覆われる構成となっている。
【００２１】
上記プリンタ本体１２は、記録ヘッド２０やキャリッジ３０等から構成される記録機構部２２と、プラテン２３やシート搬送ローラ２４、２５等から構成されるシート搬送機構部２６と、キャリッジガイド軸２９の支持装置１８とを備えている。
【００２２】
詳述すると、プリンタ本体１２における支持装置１８は、図２に示すように、左サイドフレーム２７Ｌと右サイドフレーム２７Ｒとが連結部材としての前フレーム１９で連結され、左サイドフレーム２７Ｌと右サイドフレーム２７Ｒとの間に、キャリッジガイド軸２９が架け渡されている。そして、プリンタ本体１２は、図１及び図２に示すように、左サイドフレーム２７Ｌと右サイドフレーム２７Ｒとの間に、シート案内フレーム２８、プラテン２３、及びローラ軸２４ａ、２５ａが略平行に架け渡されている。そして、記録ヘッド２０が搭載されたキャリッジ３０が、キャリッジガイド軸２９に設けられる。また、シート搬送ローラ２４、２５がローラ軸２４ａ、２５ａに設けられる。
【００２３】
キャリッジ３０は、キャリッジガイド軸２９に、その軸の軸方向に移動可能に挿通され、キャリッジ駆動モータ３１（図２参照）により駆動されるベルト機構（不図示）によって、キャリッジガイド軸２９の軸方向に走行（走査）させられる。ここで、キャリッジ駆動モータ３１は、ステッピングモータである。
【００２４】
また、プラテン２３及びシート搬送ローラ２４、２５は、シート搬送モータ３２によって回転し、シートの搬送を行う。
【００２５】
記録ヘッド２０は、キャリッジ３０がキャリッジガイド軸２９の軸方向に走行（走査）させられることによって、主走査方向（矢印Ｘ方向）に移動する。この記録ヘッド２０は、複数の記録ワイヤが縦に一列で配置され、これら記録ワイヤをプラテン２３に向けて打ち出す構成を備えている。ここで、プリンタ本体１２には、インクリボンカセット（不図示）が着脱自在に装着され、このインクリボンカセットのインクリボンが記録ヘッド２０とプラテン２３との間に配置される。これにより、記録ヘッド２０は、キャリッジ３０により主走査方向（矢印Ｘ方向）に移動する間に、記録ワイヤを突出させてインクリボンに打ち当て、プラテン２３と記録ヘッド２０との間に搬送されたシートに一行分の文字等の画像を記録することができる。
【００２６】
トラクタユニット１３は、トラクタベルト１３ａの回転によりシートをシート案内フレーム２８に向けて搬送する。ここで、外装カバー１１は、プリンタ１０のフロント側に開閉可能なカバー１５を備えており、このカバー１５を開くことにより、シートをトラクタユニット１３上にセットすることができる。
【００２７】
また、シートガイド１４は、シートを手差し給紙する際の手差しトレイとして機能すると共に、上記トラクタユニット１３により、シートがプリンタ１０のフロントから給紙された場合（フロント給紙の場合）は、シートの排紙トレイとして機能する。
【００２８】
記録ヘッド２０による記録動作は、記録ヘッド２０が、キャリッジ３０により主走査方向（矢印Ｘ方向）に移動される間に、記録ヘッド２０からの記録ワイヤの打ち出しにより一行分の記録がなされ、この一行分の記録がなされる度に、フロント給紙の場合は、トラクタユニット１３及びシート搬送機構部２６が、リア給紙（手差し給紙）の場合は、プラテン２３が、シートを所定長（通常行間分）搬送させ、これらの動作が繰り返されることにより実施される。
【００２９】
ところで、キャリッジガイド軸２９は、左サイドフレーム２７Ｌと右サイドフレーム２７Ｒとの間に回動自在に軸支されている。具体的には、キャリッジガイド軸２９の両端部２９ａ，２９ｂに、このキャリッジガイド軸２９よりも細い支持軸３３，３４が設けられている。そして、支持軸３３が左サイドフレーム２７Ｌ、支持軸３４が右サイドフレーム２７Ｒに挿通されている。これによって、キャリッジガイド軸２９が左サイドフレーム２７Ｌ及び右サイドフレーム２７Ｒに回動自在に軸支される。これら支持軸３３，３４はキャリッジガイド軸２９に対して偏心している偏心軸であり、その偏心量は例えば１［ｍｍ］である。
【００３０】
プリンタ１０のプリンタ本体１２には、シートが搬送される記録ヘッド２０とプラテン２３との間のプラテンギャップを、手動操作によって調整するプラテンギャップ調整機構４１が装備されている。このプラテンギャップ調整機構４１は、溝列４２及びアジャストレバー４３を有して構成される。
【００３１】
溝列４２は、例えば左サイドフレーム２７Ｌにおいて、プリンタ本体１２の後方側に設けられ、多数の溝から構成される。溝列４２の溝は、キャリッジガイド軸２９の支持軸３３を中心とした円弧の軌跡上に配列される。
【００３２】
アジャストレバー４３は、基端部がキャリッジガイド軸２９の支持軸３３に回転一体に固定され、先端部側に爪部４４が接近して形成されている。爪部４４は、溝列４２の溝に係止されて、アジャストレバー４３を基端部を中心に間欠的に動作（回動）可能とする。
【００３３】
アジャストレバー４３の間欠的動作によってキャリッジガイド軸２９が間欠的に回動する。この回動動作により、キャリッジガイド軸２９は、支持軸３３との偏心量に対応する量（例えば偏心量が１［ｍｍ］の場合には、２［ｍｍ］）だけプラテン２３に対し接離する。従って、キャリッジ３０を介して記録ヘッド２０をプラテン２３に対し接離し、記録ヘッド２０とプラテン２３との間のプラテンギャップが調整される。
【００３４】
ここで、左サイドフレーム２７Ｌと右サイドフレーム２７Ｒとは、連結部材としての前フレーム１９で連結されているため、左サイドフレーム２７Ｌと右サイドフレーム２７Ｒとの間隔は、この前フレーム１９の桁方向の長さで決まる。従って、キャリッジガイド軸２９は、この前フレーム１９でキャリッジガイド軸２９の軸方向の長さが規制されるため、図３に示すように、このキャリッジガイド軸２９が左サイドフレーム２７Ｌ（図２）と右サイドフレーム２７Ｒとの間に収まるように、キャリッジガイド軸２９の一端部２９ａと右サイドフレーム２７Ｒの内面とに隙間Ｙを設けている。この隙間Ｙは、キャリッジガイド軸２９の他端部２９ｂ（図２）を、左サイドフレーム２７Ｌ（図２）の内面に当接させた状態で生じるものである。
【００３５】
通常、キャリッジ３０が、キャリッジガイド軸２９の軸方向（図２中矢印Ｘ方向）に走査（移動）するとき、キャリッジ３０とキャリッジガイド軸２９とが接する箇所に摩擦力が生じ、キャリッジガイド軸２９をキャリッジ３０の進行方向に移動させようとする力が生じる。特に、キャリッジ３９が高速で動いている場合、キャリッジ３０とキャリッジガイド軸２９とが接する箇所の摩擦力が増大し、キャリッジガイド軸２９をキャリッジ３０の進行方向に移動させようとする力が増大する。
【００３６】
第１の実施の形態において、右サイドフレーム２７Ｒの内面側には、キャリッジガイド軸２９を軸方向（図３中矢印Ｚ方向）に押圧する圧縮ばね３５が設けられている。この圧縮ばね３５は、コイルばねである。
【００３７】
具体的に説明すると、圧縮ばね３５は、支持軸３４に挿通され、圧縮ばね３５の一端が右サイドフレーム２７Ｒの内面に当接されるとともに、他端がキャリッジガイド軸２９の一端部２９ａに当接される。そして、この圧縮ばね３５は、キャリッジガイド軸２９がキャリッジ３０の走査により軸方向（図３中矢印Ｚ’方向）に移動するのを抑制する押圧力をキャリッジガイド軸２９の一端部２９ａに作用して、他端部２９ｂを左サイドフレーム２７Ｌの内面に押し付けている。この圧縮ばね３５の押圧力は、キャリッジガイド軸２９をキャリッジ３０の進行方向（矢印Ｚ’方向）に移動させようとする力よりも大きくなるように設定されている。尚、この圧縮ばね３５の押圧力は、プラテンギャップの調整時にキャリッジガイド軸２９が回動可能な範囲内で設定されている。従って、キャリッジガイド軸２９の回動動作を妨げることはない。
【００３８】
キャリッジ３０が圧縮ばね３５の押圧方向（矢印Ｚ方向）と同じ方向に移動している場合、キャリッジガイド軸２９の他端部２９ｂは、圧縮ばね３５の押圧力により左サイドフレーム２７Ｌの内面に押し付けられているので、キャリッジガイド軸２９が圧縮ばね３５の押圧方向（矢印Ｚ方向）に移動することはない。従って、記録品質の低下を抑制することができる。また、キャリッジガイド軸２９の軸方向の移動に起因するキャリッジ駆動モータ３１の脱調を防止することができるので、キャリッジ３０の挙動が安定する。
【００３９】
また、キャリッジ３０が圧縮ばね３５の押圧方向とは逆の方向（矢印Ｚ’方向）に移動している場合、矢印Ｚ’方向にキャリッジガイド軸２９を移動させようとする力がキャリッジガイド軸２９に作用するが、キャリッジガイド軸２９の一端部２９ａには、圧縮ばね３５の押圧力が矢印Ｚ方向に作用しているので、キャリッジガイド軸２９が矢印Ｚ’方向に移動することはほとんどない。
【００４０】
特に、キャリッジ３０が高速に軸方向に動く場合、キャリッジガイド軸２９をキャリッジ３０の進行方向（矢印Ｚ’方向）に移動させようとする力が増大するが、圧縮ばね３５の押圧力を、キャリッジガイド軸２９をキャリッジ３０の進行方向（矢印Ｚ’方向）に移動させようとする力よりも大きくなるように設定しているので、キャリッジガイド軸２９が矢印Ｚ’方向に移動することはほとんどない。従って、記録品質の低下を抑制することができる。また、キャリッジガイド軸２９の軸方向の移動に起因するキャリッジ駆動モータ３１の脱調を防止することができるので、キャリッジ３０の挙動が安定する。
【００４１】
仮に、キャリッジガイド軸２９が矢印Ｚ’方向に移動したとしても、圧縮ばね３５の押圧力がキャリッジガイド軸２９の一端部２９ａに作用しているので、キャリッジガイド軸２９の移動量は僅かであり、記録品質を低下させるほどではない。そして、キャリッジガイド軸２９の他端部２９ｂは、再び圧縮ばね３５の押圧力により左サイドフレーム２７Ｌの内面に押し付けられることとなる。従って、記録品質の低下が抑制される。また、キャリッジガイド軸２９の軸方向の移動に起因するキャリッジ駆動モータ３１の脱調を防止することができるので、キャリッジ３０の挙動が安定する。
【００４２】
また、圧縮ばね３５は単に支持軸３４に挿通するだけでよく、圧縮ばね３５を右サイドフレーム２７Ｒやキャリッジガイド軸２９の端部２９ａに固定する必要がないので、キャリッジガイド軸２９の回動動作を妨げることなく、簡単な構成で効果的にキャリッジガイド軸２９の軸方向の移動を抑制することができる。
【００４３】
以上、第１の実施の形態によれば、キャリッジガイド軸２９がキャリッジ３０の走査により軸方向に移動するのを抑制する押圧力で、キャリッジガイド軸２９の一端部２９ａを軸方向に押圧する圧縮ばね３５を備えたことから、キャリッジガイド軸２９の軸方向の移動が抑制されるので、記録品質の低下を抑制することができ、また、キャリッジ３０の挙動を安定化させることができる。
【００４４】
また、第１の実施の形態によれば、圧縮ばね３５が、右サイドフレーム２７Ｒの内面側に配置され、キャリッジガイド軸２９の一端部２９ａに作用して、キャリッジガイド軸２９の他端部２９ｂを、左サイドフレーム２７Ｌの内面に押し付けているので、キャリッジガイド軸２９の軸方向の移動がより効果的に抑制される。
【００４５】
また、第１の実施の形態によれば、圧縮ばね３５が、支持軸３４に挿通されているので、簡単な構成で、記録品質の低下を抑制することができ、また、キャリッジ３０の挙動を安定化させることができる。
【００４６】
［２］第２の実施の形態
上記第１の実施の形態では、圧縮ばねによりキャリッジガイド軸を押圧する場合について説明したが、第２の実施の形態では、引張ばねによる付勢力をキャリッジガイド軸に作用してキャリッジガイド軸を押圧する場合について説明する。ここで、第１の実施の形態と同様の部分については、同一符号を付して説明を省略する。
【００４７】
図４は、第２の実施の形態におけるキャリッジガイド軸の支持装置を示す断面図である。
【００４８】
キャリッジガイド軸２９の一端部２９ａには、右サイドフレーム２７Ｒに挿通される支持軸３４が設けられている。キャリッジガイド軸２９は、前フレームでキャリッジガイド軸２９の軸方向の長さが規制されるため、このキャリッジガイド軸２９がサイドフレーム間に収まるように、キャリッジガイド軸２９の一端部２９ａと右サイドフレーム２７Ｒの内面とに隙間Ｙ’を設けている。この隙間Ｙ’は、キャリッジガイド軸２９の他端部を、左サイドフレームの内側に当接させた状態で生じるものである。
【００４９】
右サイドフレーム２７Ｒの外面側には、押圧部材としての押圧板５２と、この押圧板５２に作用し、押圧板５２を介してキャリッジガイド軸２９の一端部２９ａを軸方向（図４中矢印Ｚ方向）に押圧する引張ばね５１とが設けられている。この引張ばね５１は、コイルばねである。
【００５０】
具体的に説明すると、引張ばね５１は、支持軸３４に挿通されるとともに、右サイドフレーム２７Ｒの外面側に配置されている。この引張ばね５１の一端５１ａは、右サイドフレーム２７Ｒの外面に固定されている。また、引張ばね５１の他端５１ｂは、キャリッジガイド軸２９の支持軸３４を押圧する押圧板５２に固定されている。支持軸３４の端面には、凸部３４ａが設けられている。この凸部３４ａが、押圧板５２に設けた孔５２ａに係合されている。これによって、引張ばね５１は、キャリッジガイド軸２９がキャリッジの走査により軸方向（図４中矢印Ｚ’方向）に移動するのを抑制する押圧力を、押圧板５２を介しキャリッジガイド軸２９の一端部２９ａに設けられた支持軸３４に作用して、キャリッジガイド軸２９の他端部を左サイドフレームの内面に押し付けている。この引張ばね５１により押圧板５２に作用する付勢力は、キャリッジガイド軸２９をキャリッジの進行方向（矢印Ｚ’方向）に移動させようとする力よりも大きくなるように設定されている。尚、引張ばね５１により押圧板５２に作用する付勢力は、プラテンギャップの調整時にキャリッジガイド軸２９が回動可能な範囲内で設定されている。従って、キャリッジガイド軸２９の回動動作を妨げることはない。
【００５１】
キャリッジが引張ばね５１による押圧板５２の押圧方向（矢印Ｚ方向）と同じ方向に移動している場合、キャリッジガイド軸２９の他端部は、引張ばね５１の押圧力により左サイドフレームの内面に押し付けられているので、キャリッジガイド軸２９が引張ばね５１による押圧板５２の押圧方向（矢印Ｚ方向）に移動することはない。従って、記録品質の低下を抑制することができる。また、キャリッジガイド軸２９の軸方向の移動に起因するキャリッジ駆動モータの脱調を防止することができるので、キャリッジの挙動が安定する。
【００５２】
また、キャリッジが引張ばね５１による押圧板５２の押圧方向とは逆の方向（矢印Ｚ’方向）に移動している場合、矢印Ｚ’方向にキャリッジガイド軸２９を移動させようとする力がキャリッジガイド軸２９に作用するが、キャリッジガイド軸２９の一端部２９ａには、引張ばね５１による押圧板５２の押圧方向が矢印Ｚ方向に作用しているので、キャリッジガイド軸２９が矢印Ｚ’方向に移動することはほとんどない。
【００５３】
特に、キャリッジが高速に軸方向に動く場合、キャリッジガイド軸２９をキャリッジの進行方向（矢印Ｚ’方向）に移動させようとする力が増大するが、引張ばね５１により押圧板５２に作用する付勢力を、キャリッジガイド軸２９をキャリッジの進行方向（矢印Ｚ’方向）に移動させようとする力よりも大きくなるように設定しているので、キャリッジガイド軸２９が矢印Ｚ’方向に移動することはほとんどない。従って、記録品質の低下を抑制することができる。また、キャリッジガイド軸２９の軸方向の移動に起因するキャリッジ駆動モータの脱調を防止することができるので、キャリッジの挙動が安定する。
【００５４】
仮に、キャリッジガイド軸２９が矢印Ｚ’方向に移動したとしても、キャリッジガイド軸２９の一端部２９ａには、押圧板５２を介した引張ばね５１による押圧力が作用しているので、キャリッジガイド軸２９の移動量は僅かであり、記録品質を低下させるほどではない。そして、キャリッジガイド軸２９の他端部は、再び押圧板５２を介した引張ばね５１による押圧力により左サイドフレームの内面に押し付けられることとなる。従って、記録品質の低下が抑制される。また、キャリッジガイド軸２９の軸方向の移動に起因するキャリッジ駆動モータの脱調を防止することができるので、キャリッジの挙動が安定する。
【００５５】
以上、第２の実施の形態では、第１の実施の形態と同様に、キャリッジガイド軸２９の軸方向の移動が抑制されるので、記録品質の低下を抑制することができ、また、キャリッジの挙動を安定化させることができるという効果を奏するものである。
【００５６】
以上、実施形態に基づいて本発明を説明したが、本発明は、これに限定されるものではない。
【００５７】
例えば、上記第１の実施の形態では、押圧手段としての圧縮ばね３５が、支持軸３４に挿通され、右サイドフレーム２７Ｒの内面側に配置される場合について説明したが、押圧手段としての圧縮ばねが、支持軸３３に挿通され、左サイドフレーム２７Ｌの内面側に配置される場合であってもよい。
【００５８】
また、上記第１の実施の形態では、押圧手段としての圧縮ばね３５が、支持軸３４に挿通され、右サイドフレーム２７Ｒの内面側に配置される場合について説明したが、押圧手段としての皿ばねが、支持軸３４に挿通され、右サイドフレーム２７Ｒの内面側に配置される場合であってもよいし、押圧手段としての皿ばねが、支持軸３３に挿通され、左サイドフレーム２７Ｌの内面側に配置される場合であってもよい。
【００５９】
また、上記第２の実施の形態では、押圧手段としての引張ばね５１が、支持軸３４に挿通され、右サイドフレーム２７Ｒの外面側に配置される場合について説明したが、押圧手段としての引張ばねが、支持軸３３に挿通され、左サイドフレーム２７Ｌの外面側に配置される場合であってもよい。
【００６０】
また、上記第２の実施の形態では、右サイドフレーム２７Ｒの外面側に、押圧部材としての押圧板５２と、この押圧板５２に作用し、押圧板５２を介してキャリッジガイド軸２９の一端部２９ａを軸方向に押圧する引張ばね５１とが設けられる場合について説明したが、右サイドフレーム（又は左サイドフレーム）の内面側に、押圧部材としての押圧板と、この押圧板に作用し、押圧板を介してキャリッジガイド軸の端部を軸方向に押圧する引張ばねとが設けられる場合であってもよい。この場合、押圧板はキャリッジガイド軸の端部に設けた支持軸に固定され、引張ばねは、支持軸に挿通されて、一端が右サイドフレーム（又は左サイドフレーム）の内面に固定されるともに、他端が押圧板のキャリッジガイド軸の端部に対面する側の面に当接する当接部材に固定される。これによって、キャリッジガイド軸の軸方向の移動を抑制して、記録品質の低下を抑制することができ、また、キャリッジの挙動を安定化させることができる。
【００６１】
【発明の効果】
本発明によれば、キャリッジガイド軸の軸方向の移動を抑制して、記録品質の低下を抑制することができ、また、キャリッジの挙動を安定化させることができる。
【図面の簡単な説明】
【図１】本発明の記録装置の第１の実施の形態に係るプリンタの側断面図である。
【図２】同プリンタの外装カバーを外した状態を示す斜視図である。
【図３】図２における圧縮ばねが支持軸に挿通される部分の拡大図である。
【図４】第２の実施の形態におけるキャリッジガイド軸の支持装置を示す断面図である。
【符号の説明】
１０  プリンタ（記録装置）
１８  支持装置
１９  前フレーム（連結部材）
２０  記録ヘッド
２３  プラテン
２７Ｌ  左サイドフレーム（サイドフレーム）
２７Ｒ  右サイドフレーム（サイドフレーム）
２９  キャリッジガイド軸
２９ａ  一端部（端部）
３０  キャリッジ
３３，３４  支持軸
３５  圧縮ばね（押圧手段）
５１  引張ばね（押圧手段）
５２  押圧板（押圧手段、押圧部材）
【図１】
2004322453.tif 000003
【図２】
2004322453.tif 000004
【図３】
2004322453.tif 000005
【図４】
2004322453.tif 000006